(57)【要約】【課題】  各ジョブ毎に付箋を貼り付けて出力される排紙処理装置において、複雑な装置構成を用いることなく、放置されたジョブ用紙の情報を表示しユーザを特定する。【構成】  画像が形成され排出される用紙のジョブ毎に付箋を貼り付ける付箋貼り付け部、及び排出された用紙を受ける排出トレイを備える画像形成装置において、前記排出トレイに前記付箋の貼り付け位置を検出する付箋位置検出手段、付箋貼り付け位置とジョブの情報を対応付けて記憶する記憶手段を備えることを特徴とする。【選択図】図２
2005272076.tif 000002
【特許請求の範囲】
【請求項１】
画像が形成され排出される用紙のジョブ毎に付箋を貼り付ける付箋貼り付け部、及び排出された用紙を受ける排出トレイを備える画像形成装置において、前記排出トレイに前記付箋の貼り付け位置を検出する付箋位置検出手段を備えることを特徴とする画像形成装置。
【請求項２】
前記ジョブと該ジョブにおける付箋の貼り付け位置を対応付けて記憶する記憶手段と、操作表示部をさらに有し、前記排紙トレイ上の用紙の情報を前記操作表示部に表示することを特徴とする請求項１に記載の排紙処理装置。
【発明の詳細な説明】
【技術分野】
【０００１】
本発明は、複写機、プリンタ、ファクシミリ等の画像形成装置の付箋処理に関する。
【背景技術】
【０００２】
複写機、プリンタ、ファクシミリ等の画像形成装置の排紙部において、複数のジョブが連続して出力されるときにおいて、各ジョブにより排出された用紙の仕分けを容易にするために、印刷ジョブの先頭もしくは一番後ろに、付箋のような紙やテープを剥離可能なノリなどで貼り、この付箋が排紙装置上に重ねられた用紙からはみ出るようにし、ジョブ毎に付箋の貼り付け位置をずらして区分けしている。（特許文献１参照）
このように、ジョブ毎に付箋を貼り付けることにより、ジョブの区分けは容易となるが、ユーザが各ジョブの終了後、出力された用紙をすぐに取りに行くとは限らず、取りに行くのを忘れたり等、排紙トレイに出力された用紙が放置されることがあり、どのユーザの出力したものかが分からず困ることがある。
【０００３】
また、付箋にユーザー名や、ジョブ名を印字する印字部をさらに備え、付箋を見ることによりユーザを特定できる方法が提案されている。（特許文献２参照）
【特許文献１】特開２０００−８６０６２号公報
【特許文献２】特開平１０−８７１４８号公報
【発明の開示】
【発明が解決しようとする課題】
【０００４】
しかし、前述した方法は、排紙処理部に印字部を設ける必要があり、装置が複雑になってしまい、印字部の設置箇所やメンテナンスの面で問題がある。
【０００５】
本発明は、上述のごとき実情に鑑みてなされたもので、複雑な装置構成を用いることなく、各ジョブの情報を表示できることを目的としてなされたものである。
【課題を解決するための手段】
【０００６】
請求項１に係る画像形成装置は、画像が形成され排出される用紙のジョブ毎に付箋を貼り付ける付箋貼り付け部、及び排出された用紙を受ける排出トレイを備える画像形成装置において、前記排出トレイに前記付箋の貼り付け位置を検出する付箋位置検出手段を備えることを特徴とする。
【０００７】
請求項２に係る排紙処理装置は、請求項１に記載の画像形成装置であって、前記ジョブと該ジョブにおける付箋の貼り付け位置を対応付けて記憶する記憶手段と、操作表示部をさらに有し、前記排紙トレイ上の用紙の情報を前記操作表示部に表示することを特徴とする。
【発明の効果】
【０００８】
請求項１に記載の発明によれば、 排出トレイに排出され、放置された用紙の付箋の貼り付け位置を容易に検知することができる。
【０００９】
請求項２に記載の発明によれば、放置された用紙の付箋の貼り付け位置によって、該用紙のジョブを特定することができ、該ジョブの情報を表示部に表示することができる。
【発明を実施するための最良の形態】
【００１０】
図１は、本発明による画像形成装置の一実施例を説明するためのブロック図である。図中の破線矢印は用紙の搬送経路を示す。画像形成装置１は、複写機，プリンタ，ファクシミリ等の紙に画像を形成し排紙する機能を備えたものである。画像形成部５は、紙に画像を形成する機能を持ち、例えば公知の電子写真方式の画像形成装置では、感光体ドラム、帯電装置、露光装置、現像装置、転写装置、クリーニング装置、定着装置等からなる（何れも図示せず）。
【００１１】
画像形成部５により画像が形成された紙は、前記電子写真方式の画像形成装置では、定着装置によりトナーが紙に定着された後、付箋貼り付け部６へ送られる。付箋貼り付け部６は、例えば特開２０００−８６０６２号公報に記載されたものが使用でき説明は省略する。
【００１２】
操作表示部４には液晶タッチパネル等で構成される表示部、プリントボタン、複写枚数等を設定するテンキー、排紙トレイに放置されている用紙の情報を表示させるときに押下する用紙情報表示キー等（何れも図示せず）が配置されている。
【００１３】
制御部３には、装置各部を制御するＣＰＵ（Central  Processing  Unit）と、プログラムデータ等が記憶されているＲＯＭ（Read  Only  Memory）と、ＣＰＵの作業領域として用いられるＲＡＭ（Random  Access  Memory）及び各種設定データ等が記憶されるＥＥＰＲＯＭ（Electrically  Erasable  Programmable  ＲＯＭ：記憶部に相当する）等の書換え可能な不揮発性メモリ、画像データを必要に応じて加工する画像処理部等（いずれも図示せず）からなる。
【００１４】
また、図示しないネットワークＩＦ部（10/100Base-TX）等を備え、ＬＡＮ（Local Area Network）を介して接続された複数のＰＣ（Personal  Computer）や他の画像形成装置との間での種々のデータの送受信を制御する。
【００１５】
図２には、排紙トレイ７を示す。図では排紙トレイ７を真上から見た図を示しており、破線の矢印方向に画像形成装置１から用紙２０が排出される。排紙トレイ７の付箋（２ｂ、２ｄ、２ｈ）が貼られる面側には、用紙２０の排紙方向に複数の付箋位置検知センサ（Ｓｅｎ１〜Ｓｅｎ９）（付箋位置検知手段）が配置されている。付箋位置検知センサは、例えば反射型の光センサが使用され用紙２０から突出した付箋を検知する。付箋位置検知センサ（Ｓｅｎ１〜Ｓｅｎ９）は用紙２０の排紙方向に等間隔で配置され、その各間隔は付箋の貼り付け間隔と一致している。従って付箋位置検知センサ（Ｓｅｎ１〜Ｓｅｎ９）の検知信号を制御部２で読取ることにより排紙トレイに放置されている用紙に貼り付けられている付箋の位置を知ることができる。
【００１６】
図２では、付箋２ｂ、２ｄ、２ｈが貼り付けられた３つのジョブの用紙が放置された状態であり、付箋位置検知センサＳｅｎ２、Ｓｅｎ４、Ｓｅｎ８が付箋を検知している。
【００１７】
ここで、あらかじめ付箋の貼り付け時にそのジョブの情報を、例えば各ＰＣからの画像データとともに入手しておき、ＥＥＰＲＯＭに付箋貼り付け位置に対応して記憶する。この記憶状態を図３に示す。付箋位置検知センサ（Ｓｅｎ１〜Ｓｅｎ９）にそれぞれ対応する付箋貼り付け位置に対して、例えばユーザ名、部門、ジョブの出力時間を記憶する。その後、例えば図２の排紙トレイ７に用紙２０が放置された状態で、操作表示部４の用紙情報表示キーを押下すると、付箋位置検知センサＳｅｎ２、Ｓｅｎ４、Ｓｅｎ８が付箋２ｂ、２ｄ、２ｈを検知し、制御部２は排紙トレイ上に付箋位置Ｓｅｎ２、Ｓｅｎ４、Ｓｅｎ８に対応するジョブの用紙が放置されていると判断し、図４に示すように、操作表示部４の表示部に付箋位置と放置されているジョブの情報が表示される。前記ジョブの情報は最新の情報に書き換えられる。
【００１８】
前記実施例では、ジョブの情報を、例えば各ＰＣからの画像データとともに入手する場合を述べたが、多部数のコピー等を行う場合に、操作表示部４によりユーザが情報を入力するようにしても良い。
【００１９】
また、付箋位置検知センサを、反射型の光センサとしたがアクチュエータ型のセンサ等付箋を検知できるものであれば良い。
【００２０】
また、ジョブ出力時の付箋の貼り付け位置を付箋位置検知センサによって、付箋が検知されていない位置に貼り付けることにすれば、長時間排紙トレイ上に用紙が放置された状態で多数のジョブが出力されても付箋の貼り付け位置が重複することが無く、ユーザの特定がより確実となる。
【図面の簡単な説明】
【００２１】
【図１】本発明による画像形成装置の一実施例を説明するためのブロック図である。
【図２】本発明による排紙トレイの一実施例を説明するための図である。
【図３】本発明による記憶手段に記憶される情報を説明するための図である。
【図４】本発明による操作表示部に表示される形態を説明するための図である。
【符号の説明】
【００２２】
１      画像形成装置
２      制御部
３      記憶部
４      操作表示部
５      画像形成部
６      付箋貼り付け部
７      排紙トレイ
２０    用紙
２ｂ、２ｄ、２ｈ    付箋
Ｓｅｎ１〜Ｓｅｎ９  付箋位置検知センサ  
【図１】
2005272076.tif 000003
【図２】
2005272076.tif 000004
【図３】
2005272076.tif 000005
【図４】
2005272076.tif 000006